(57)【特許請求の範囲】
【請求項１】
コック挿入孔を有するコック本体と、該コック本体の前記コック挿入孔の一側にホース接続口と他側にガス導出用のガス導管と、前記コック挿入孔に回動可能に備えた閉子コックとを備えたガス燃焼器で、前記閉子コックの回転角度によりガス燃焼器の能力を切換えるガス量調節装置であって、
前記閉子コックは、入口側に前記ホース接続口のガス導孔と連通可能な１つのガス導入孔と、出口側にガス導出用のガス導管とに連通可能でかつ同一周上又は異なる周上に前記入口側の１つのガス導入孔に連通された複数の異なる開口面積のガス量調節孔とが設けられたものであり、
前記閉子コックの回転角度により入口側の１つのガス導入孔を前記ホース接続口のガス導孔に連通させ、かつ出口側に設けた同一周上又は異なる周上の複数の開口面積の異なるガス量調節孔のうち１又は複数のガス量調節孔を前記ガス導管のガス導孔に連通させてガス燃焼器への供給ガス量を多段階に切り換え調節できるようにしたガス燃焼器のガス量調節装置。
【請求項２】
前記閉子コックの前記出口側には、上部同一周上に一定間隔を存して大、中のガス導孔と、その下方の周上に小のガス量調節孔とが穿たれた請求項１に記載のガス燃焼器のガス量調節装置。
【発明の詳細な説明】
【０００１】
【発明の属する技術分野】
この発明は、ガス自動炊飯器、ガステーブル、ガスレンジ等のガス燃焼器のガス量調節装置に関する。
【０００２】
【従来の技術】
従来のこの種のコック式ガス量調節装置には、たとえば、図１５〜図１８に示されているように、閉子コック１′に１つの貫通したガス量調節孔２′を穿ったもの（図１５及び図１６参照）（以下単に従来例１という）、又は閉子コック１′の同一周上に複数のガス量調節孔２′を穿ったもの（図１７及び図１８参照）（以下単に従来例２という）等がある。
【０００３】
【発明が解決しようとする課題】
上記従来例１の  コック式ガス量調節装置は、閉子コック１′に１つの貫通したガス量調節孔２′が穿たれているにすぎないから、閉子コックの回転にともなうガス通路面積の変動が大きく（図１６のグラフ参照）、その途中、たとえば、中間位置におけるガス流量を安定して流すことは困難である。したがって、多段階の切換え調節は不可能であった。
【０００４】
また、従来例２の  コック式ガス量調節装置は、閉子コック１′の同一周上に複数のガス量調節孔２′を穿っているから、閉子コック１′の回転によるその開口面積の変化で図１８のグラフに示されているような流量特性は得られるものの、閉子コック１′の直径が限られていると、切換え時の一定ガス量の範囲ｅがせまくなり（図１８のｆ参照）、相隣接するガス量調節孔２′間においてガス量が急に落ちる範囲ｇが存在してしまう（図１８のｃ参照）など使用上限られた段階（たとえば、２段階）の切換え調節しかできないという問題点があった。なお、図１８中のｈ′は理想の段階切換えを示す。
【０００５】
この発明のガス燃焼器のガス量調節装置は上記課題を解決し、ガス流量のすみやかな多段階切換えを可能として、特に、業務用として使用される大型のガス炊飯器に適用して効果的としたガス燃焼器のガス量調節装置の提供を目的としている。
【０００６】
【課題を解決するための手段】
上記課題を解決するこの発明の請求項１のガス燃焼器のガス量調節装置は、コック挿入孔を有するコック本体と、該コック本体の前記コック挿入孔の一側にホース接続口と他側にガス導出用のガス導管と、前記コック挿入孔に回動可能に備えた閉子コックとを備えたガス燃焼器で、前記閉子コックの回転角度によりガス燃焼器の能力を切換えるガス量調節装置であって、
前記閉子コックは、入口側に前記ホース接続口のガス導孔と連通可能な１つのガス導入孔と、出口側にガス導出用のガス導管とに連通可能でかつ同一周上又は異なる周上に前記入口側の１つのガス導入孔に連通された複数の異なる開口面積のガス量調節孔とが設けられたものであり、
前記閉子コックの回転角度により入口側の１つのガス導入孔を前記ホース接続口のガス導孔に連通させ、かつ出口側に設けた同一周上又は異なる周上の複数の開口面積の異なるガス量調節孔のうち１又は複数のガス量調節孔を前記ガス導管のガス導孔に連通させてガス燃焼器への供給ガス量を多段階に切り換え調節できるようにしたことを要旨とする。
【０００７】
上記課題を解決するこの発明の請求項２のガス燃焼器のガス量調節装置は、上記請求項１における前記閉子コックの前記出口側には、上部同一周上に一定間隔を存して大、中のガス導孔と、その下方の周上に小のガス量調節孔とが穿たれたことを要旨とする。
【０００８】
上記構成を有するこの発明の請求項１のガス燃焼器のガス量調節装置は、前記閉子コックは、入口側に前記ホース接続口のガス導孔と連通可能な１つのガス導入孔と、出口側にガス導出用のガス導管とに連通可能でかつ同一周上又は異なる周上に前記入口側の１つのガス導入孔に連通された複数の異なる開口面積のガス量調節孔とが設けられたものであり、
前記閉子コックの回転角度により入口側の１つのガス導入孔を前記ホース接続口のガス導孔に連通させ、かつ出口側に設けた同一周上又は異なる周上の複数の開口面積の異なるガス量調節孔のうち１又は複数のガス量調節孔を前記ガス導管のガス導孔に連通させてガス燃焼器への供給ガス量を多段階に切り換え調節できるので、ガス流量の段階を増やすことができる。この結果、従来より数多くの段階のガス量を広い幅で供給することが可能となる。
【０００９】
上記構成を有するこの発明のガス燃焼器のガス量調節装置は、異なる周上に穿たれた複数のガス量調節孔の開口面積が各々異なるので、複数のガス量調節孔が異なる周上に穿たれていることと相まって切換え時のガス通路面積の変動が少なくなり、各段階における一定ガス量の範囲の幅も広くすることができる。この結果、ガス燃焼器への供給ガス量が多段階にすみやかに切換え調節できる。
【００１０】
【発明の実施の形態】
以上説明したこの発明の構成、作用を一層明確にするために、以下にこの発明のガス燃焼器のガス量調節装置の好適な実施の形態の一例について図面を参照して説明する。
【００１１】
実施の一例としてこの発明のガス量調節装置を業務用のガス自動炊飯器に適用して能力切換式ガス自動炊飯器とした場合について以下に説明する。
一般に業務用のガス自動炊飯器には能力切換手段のないものが多いため、ご飯を炊く量（米の量）に関係なく同一火力で炊飯している。したがって、炊飯すべき米の量によりご飯の炊き上がりにむらがあり問題となっていた。
そこで、この発明ではガス量を多段階に切換え調節可能として炊飯する米の量に適合する、たとえば、大、中、小にガス量を切換え調節して最適な火力のもとに炊飯を行い、ご飯の出来上がりが常に一定となるようにして炊きむら（炊き損い）のない炊飯を可能としたものである。
【００１２】
図１〜図１４において、Ａはコック本体で、截頭円錐状の閉子コック１を回転可能に吻合するコック挿入孔３を有し、このコック挿入孔３の一側にガス導入用のホース接続口４を、他側にはガス導出用のガス導管５を一体に備え、上記コック挿入孔３とホース接続口４とガス導管５とは予め決められた一定の内径を有するガス導孔６、７を介して上記閉子コック１の後述するガス量調節孔２とそれぞれ連通するように設けられ（図３及び図８〜図１０参照）、上記ガス導管５は炊飯器Ｂのベース８内に設置された点滅機能部９のガス管１０と接続部材１１を介して気密に接続されている（図１、図３及び図１４参照）、１２はガス導管５に設けた取付座である。
【００１３】
１は閉子コックで、上記コック本体Ａのコック挿入孔３に回転可能に吻合され、該閉子コックと一体の操作ツマミ１３により予め決められた所定の角度（たとえば、９０度）往復回転できるようになっている。上記回転角度の規制は閉子コック１と一体の係止凸片１４がコック本体Ａに設けられた係止凹部１５の両端係止面に係止されることにより閉子コック１の回転が所定の角度に規制されるようになっており、また、上記回転角度範囲における供給ガス量の多段階切換え調節位置（たとえば、３段階）は操作ツマミ１３をノッチ機構１６で規制して容易に判断できるようにしている。なお、上記ノッチ機構１６はコック本体Ａの端面部１７に備えた凹部１６ａに操作ツマミ１３側に備えた発条１６ｂで付勢された球体１６ｃが係脱する構造となっている。
【００１４】
２は上記閉子コック１の異なる周上に穿った複数のガス量調節孔で、閉子コック１の出口側に開口面積を異にする大、中、小の３つのガス量調節孔２ａ、２ｂ、２ｃを穿ち、かつ、入口側に１つのガス導入孔１８を穿って、このガス導入孔１８と３つのガス量調節孔２ａ、２ｂ、２ｃとはそれぞれ連通してガス導入孔１８からのガスが３つのガス量調節孔２ａ、２ｂ、２ｃのいずれへも導かれるようになっている。上記３つのガス量調節孔２ａ、２ｂ、２ｃは、たとえば、三角形の各々の頂点に相当する位置に穿たれている。すなわち、大、中のガス量調節孔２ａ、２ｂは閉子コック１の上部同一周上に一定の間隔を存して穿ち、小のガス量調節孔２ｃは上記大、中のガス量調節孔２ａ、２ｂより下方の周上に穿たれている。そして、上記中、小のガス量調節孔２ｂ、２ｃの外側には拡径孔１９、２０を形成してガス量調節に便利としている（図５〜図７参照）。
【００１５】
なお、図１３及び図１４の炊飯器Ｂにおいて、２１は外胴、２２は蓋、２３はノップ、２４は取手、２５はベース８上に被せた受皿、２６はガスバーナ、２７は点火ツマミである。
【００１６】
上記構成において、供給ガス量の切換え調節手順を図２及び図８〜図１０に基づき説明すると、上記ガス量調節装置には閉止機能はなく、ベース８内の点滅機能部９において、たとえば、点火ツマミ２７と連動する電磁安全弁（図示せず）等によりガス通路の開閉を元栓に代えて行うようになっている。
【００１７】
そこで、ガス量「小」で炊飯を行うときは、操作ツマミ１３を図２のａ位置にセットすると、操作ツマミ１３と一体の閉子コック１は図８の状態に変位し、出口側のガス導孔７には小のガス量調節孔２ｃのみが拡径孔２０を介して連通する。したがって、ホース接続口４から導入されたガスはガス導孔６から閉子コック１のガス導入孔１８を経て小のガス量調節孔２ｃで一定のガス量に調節されて拡径孔２０からガス導孔７に至り、ガス導管５からガス管１０を経て点滅機能部９に供給される。したがって、炊飯すべき米の量が「小」のときはガス量「小」で適切な炊飯を行うことができる。
【００１８】
次に、ガス量「中」で炊飯を行うときは、操作ツマミ１３を図２のａの位置からｂの位置まで（約５０度）回動してセットすると、操作ツマミ１３と一体の閉子コック１は図９に示した状態に変位し、出口側のガス導孔７に小、中のガス量調節孔２ｂ、２ｃが連通する。したがって、ホース接続口４から導入されたガスはガス導孔６から閉子コック１のガス導入孔１８を経て小のガス量調節孔２ｃと中のガス量調節孔２ｂの双方で一定のガス量に調節されて拡径孔１９、２０からガス導孔７に至り、ガス導管５からガス管１０を経て点滅機能部９に供給される。したがって、炊飯すべき米の量が「中」のときはガス量「中」で適切な炊飯を行うことができる。
【００１９】
さらに、ガス量「大」で炊飯を行うときは、操作ツマミ１３を図２のａ又はｂの位置からｃの位置まで（約９０度又は４０度）回動してセットすると、操作ツマミ１３と一体の閉子コック１は図１０に示した状態に変位し、出口側のガス導孔７に大のガス量調節孔２ａが連通する。したがって、ホース接続口４から導入されたガスはガス導孔６から閉子コック１のガス導入孔１８を経て大のガス量調節孔２ａで一定のガス量に調節されてガス導孔７に至り、ガス導管５からガス管１０を経て点滅機能部９に供給される。したがって、炊飯すべき米の量が「大」のときはガス量「大」で適切な炊飯を行うことができる。
【００２０】
上記供給ガス量の大、中、小の切換え調節動作において、開口面積の異なる３つのガス量調節孔２ａ、２ｂ、２ｃを選択して炊飯すべき米の量に最も適した大、中、小のガス量にサッと切換え調節できるので、たとえば、図１１及び図１２の特性グラフｈに示されているように、供給ガス量の切換え調節が鋭敏、かつ、確実に、しかも、多段階に行いうる。したがって、炊飯すべき米の量により供給ガス量を選定すれば理想の炊飯が常に行えるものである。なお、上記大、中、小のガス量調節において閉子コック１のガス導入孔１８と入口側のガス導孔６は常に連通していて閉子されることはない（図８〜図１０参照）。
【００２１】
以上この発明の実施の形態の一例について説明したが、この発明はこうした実施の形態に何ら限定されるものではなく、この発明の要旨を逸脱しない範囲において種々なる形態で実施しうることは勿論である。
たとえば、上記実施の形態では業務用のガス炊飯器に適用した場合について述べたが、ガステーブル、ガスレンジ等のガス燃焼器にも適用でき、また、ガス量調節孔を上下異なる周上に大、中、小３つ穿ち、３段階の切換え調節が可能なものについて述べたが、異なる周上及びそれぞれの周上に穿つガス量調節孔の数、切換え調節の段階の数は使用目的等に応じて任意に選定しうるものである。
【００２２】
【発明の効果】
以上説明したこの発明の請求項１のガス燃焼器のガス量調節装置によれば、前記閉子コックは、入口側に前記ホース接続口のガス導孔と連通可能な１つのガス導入孔と、出口側にガス導出用のガス導管とに連通可能でかつ同一周上又は異なる周上に前記入口側の１つのガス導入孔に連通された複数の異なる開口面積のガス量調節孔とが設けられたものであり、
前記閉子コックの回転角度により入口側の１つのガス導入孔を前記ホース接続口のガス導孔に連通させ、かつ出口側に設けた同一周上又は異なる周上の複数の開口面積の異なるガス量調節孔のうち１又は複数のガス量調節孔を前記ガス導管のガス導孔に連通させてガス燃焼器への供給ガス量を多段階に切り換え調節できるので、コックの直径が小さくても数多くのガス量調節孔が穿設できるためにガス流量の段階を増やすことができ、また、その切換え調節も迅速、確実に、しかも幅広く行いうるものである。
【００２３】
この発明のガス燃焼器のガス量調節装置によれば、コックの異なる周上に穿たれた複数のガス量調節孔の開口面積が各々異なるので、切換え調節時のガス通路面積の変動が少なく、また、各段階における一定ガス量の範囲の幅も広くすることができるために各段階へのすみやかな切換え調節が可能となる。
【００２４】
したがって、たとえば、業務用のガス自動炊飯器に適用して能力切換式とした場合、炊飯する米の量により使用者がガスの入口側において予めセットするだけで最適な火力のもとで適切な炊飯ができるという従来にない効果を奏するものである。
【図面の簡単な説明】
【図１】  この発明のガス燃焼器のガス量調節装置を業務用ガス自動炊飯器に適用した場合の要部だけの平面図である。
【図２】  コック本体部だけの正面図である。
【図３】  一部を切断した要部だけの平面図である。
【図４】  操作ツマミを取外したコック本体部だけの正面図である。
【図５】  閉子コックだけの正面図である。
【図６】  図５のＸ−Ｘ断面図である。
【図７】  図５のＹ−Ｙ断面図である。
【図８】  ガス流量「小」時の断面図である。
【図９】  ガス流量「中」時の断面図である。
【図１０】  ガス流量「大」時の断面図である。
【図１１】  流量特性の一例を示したグラフである。
【図１２】  流量特性の異なる例を示したグラフである。
【図１３】  業務用ガス自動炊飯器に適用した場合の全体正面図である。
【図１４】  ベース部分だけの一部切欠平面図である。
【図１５】  従来例の一例を示した要部だけの説明図である。
【図１６】  その流量特性を示したグラフである。
【図１７】  従来例の異なる例を示した要部だけの説明図である。
【図１８】  その流量特性を示したグラフである。
【符号の説明】
Ａ  コック本体
１  閉子コック
２  ガス量調節孔
【図１】
0003892562.tif 000002
【図２】
0003892562.tif 000003
【図３】
0003892562.tif 000004
【図４】
0003892562.tif 000005
【図５】
0003892562.tif 000006
【図６】
0003892562.tif 000007
【図７】
0003892562.tif 000008
【図８】
0003892562.tif 000009
【図９】
0003892562.tif 000010
【図１０】
0003892562.tif 000011
【図１１】
0003892562.tif 000012
【図１２】
0003892562.tif 000013
【図１３】
0003892562.tif 000014
【図１４】
0003892562.tif 000015
【図１５】
0003892562.tif 000016
【図１６】
0003892562.tif 000017
【図１７】
0003892562.tif 000018
【図１８】
0003892562.tif 000019